(57)【要約】【課題】本発明は、ガス排出用孔を有し金属材でできた封口板により封口された本体内に電解液を有するコンデンサーやリチウム電池などの密閉型電気化学デバイスにおいて、電解液が本体外に漏れ出ないようにするとともにその本体内に発生したガスをそのガス排出用孔から本体外に排出する機能をもたせた安全弁を提供する。【解決手段】本発明の密閉型電気化学デバイス用安全弁は、金属材でできた封口板１とガス透過性のあるポリオレフィン系樹脂を主成分とする成形材とを一体に成形することにより、薄肉の弁膜部２２で閉塞された中空筒部２１を封口板１のガス排出用孔１１の周壁に密着接合させてガス排出用孔１１を閉塞して電解液が本体外に漏れ出るのを防止するとともにガスのみを透過させてガスを本体外に排出する機能をもたせるようにした安全弁である。【選択図】図１
2014082432.tif 000002
【特許請求の範囲】
【請求項１】
ガス排出用孔を有し金属材でできた封口板により封口された本体内に電解液を有するコンデンサーやリチウム電池などの密閉型電気化学デバイス用安全弁において、前記安全弁が薄肉の弁膜部と前記弁膜部にて閉塞された中空筒部とからなり、前記封口板とガス透過性のあるポリオレフィン系樹脂を主成分とする成形材とを一体に成形することにより、前記ガス排出用孔の周壁に前記中空筒部を密着接合させて、前記ガス排出用孔を閉塞して電解液が漏れ出るのを防止するとともにガスのみを透過させる機能をもたせるようにしたことを特徴とする密閉型電気化学デバイス用安全弁。
【請求項２】
前記封口板には電極端子挿入用孔がガス排出用孔と並設されており、前記電極端子挿入用孔に電極端子を配置して、封口板と前記ガス透過性のあるポリオレフィン系樹脂を主成分とする成形材とを一体に成形することにより、前記ガス透過性のあるポリオレフィン系樹脂を主成分とする成形材でできたガスケットにて電気的に絶縁された電極端子と前記安全弁とを封口板に並設させたことを特徴とする請求項１に記載の密閉型電気化学デバイス用安全弁。
【請求項３】
前記ガス透過性のあるポリオレフィン系樹脂を主成分とする成形材は、ポリオレフィン系樹脂主成分にエラストマーを配合させてなることを特徴とする請求項１または請求項２に記載の密閉型電気化学デバイス用安全弁。
【請求項４】
前記ガス透過性のあるポリオレフィン系樹脂を主成分とする成形材は、ポリオレフィン系樹脂主成分に金属粉末を配合させてなることを特徴とする請求項１に記載の密閉型電気化学デバイス用安全弁。
【請求項５】
前記金属粉末はアルミニウム粉末またはアルミニウム合金粉末であることを特徴とする請求項４に記載の密閉型電気化学デバイス用安全弁
【発明の詳細な説明】
【技術分野】
【０００１】  本発明は、金属材でできた封口板により封口された本体内に電解液を有するコンデンサーやリチウム電池などの密閉型電気化学デバイスにおいて、本体内に発生したガスを排出する安全弁に関する。
【背景技術】
【０００２】  金属材でできた封口板により封口された本体内に電解液を有するコンデンサーやリチウム電池などの密閉型電気化学デバイスにあっては、電解液が本体外に漏れ出ないように密閉されているので、充放電サイクルを繰り返したり、高温で放置したり、短絡・過充電・逆充電などにより電解液が分解されて、その本体内で水素ガスや炭酸ガスなどのガスが発生し、そのガスが本体内に蓄積されることにより急激に内圧が上昇して、その本体が膨れたり、破裂したりするおそれがある。このような本体が膨れたり、破裂したりするのを防止するために、発生したガスをその都度、本体外に排出させて内圧上昇となるガスを本体内に蓄積させないようにさらには本体内の密閉を開放させる安全弁が望まれている。【０００３】  そこで、金属材でできた封口板において、ガス排出用孔が形成されており、このガス排出用孔をガス透過性のある弁膜部で閉塞するようにして本体内を密閉させ、発生した水素ガスや炭酸ガスなどのガスのみをその都度、排出させて、内圧上昇となるガスを本体内に蓄積させないようにした密閉型電気化学デバイス用安全弁としては、特許文献１にて、封口部材のガス抜き孔を塞ぎ水素ガスを選択的に透過させる弁膜を設けて、初充電時に発生する水素ガスを弁膜から外部に排出させて、初充電時の内圧上昇が抑制された非水電解質二次電池用安全弁が提案されている。すなわち、この非水電解質二次電池は、容器と、容器内に収納され、正極と負極と非水電解質とを含む発電要素と、容器の開口部に配置された封口部材とからなり、封口部材がステンレスあるいはアルミニウムなどの金属製封口板で、その金属製封口板には円形のガス抜き用孔が開口されており、水素ガスを選択的に透過させる弁膜が弁膜支持具でガス抜き用孔を塞ぐように圧着されており、この水素ガスを選択的に透過させる弁膜の厚さは、１０μｍ〜１００μｍの範囲内で、素材として、ＺｒとＮｉを含有するアモルファス合金膜、Ｐｄ系合金膜、ゼオライト膜、無機酸化物（例えば、アルミナ、ジルコニア、シリカ、ムライト、コージェライト、チタニアなど）の微粒子の焼結膜、水素ガス透過性高分子膜（例えば、テフロンＦＥＰ）等が例示されている。【０００４】  また、特許文献２にて、電解コンデンサーは外装ケースの開口端部が封口板により封口されており、使用中に電解コンデンサーの内部で漏れ電流が流れることによって、その内部では水素等のガスが発生し、そのガスが発生することにより内圧が上昇し、最悪の場合には電解コンデンサーが破裂するおそれがあるので、この封口板に形成された貫通孔を発泡シリコーンゴムで密閉されるように固定部材で固定させた安全弁により、電解コンデンサーの内部で発生したガスのみをこの発泡シリコーンゴムから外部に放出するようにした電解コンデンサー用安全弁が提案されている。【０００５】  さらに、特許文献３にて、電池またはコンデンサー等の圧力容器の開口部を閉塞する封口板において、樹脂材料、エラストマー（ゴム、熱可塑性エラストマー、樹脂材料とゴムの混合物またはブロック共重合体またはグラフト共重合体等の弾性体）、樹脂材料とエラストマーの積層板材料等で型成形された封口板に設けた貫通孔にプレート状のポーラスＰＴＦＥよりなるブリーザ膜（気液選択性透過膜）をインサート成形により接合させて、圧力容器の開口部に封着されて圧力容器の内部空間を密閉させるが、圧力容器の内部にガス等が発生して圧力が高くなると、このガスがブリーザ膜を透過されて外部へ放出される安全弁が提案されている。【０００６】  しかし、特許文献１および特許文献２のような安全弁は、それぞれ、弁膜支持具で圧着させたり固定部材で固定させるので、弁膜支持具や固定部材などの取り付け部材が必要であり、圧着させたり固定させたりする際に、薄肉の弁膜や発泡シリコーンゴムを損傷させないように配慮する必要がある。【０００７】  また、特許文献３のような安全弁は、プレート状のブリーザ膜を用いてインサート成形するので、上記のような弁膜支持具や固定部材などの取り付け部材は不要であるが、インサート成形時に、そのブリーザ膜を損傷させないように配慮する必要がある。
【先行技術文献】
【特許文献】
【０００８】
【特許文献１】特開２００４−２２８０１９号公報
【特許文献２】特開２００１−１５３９１号公報
【特許文献３】特開２００４−３０３７１１号公報
【発明の概要】
【発明が解決しようとする課題】
【０００９】  本発明は、上記の問題点を解消するために、ガス排出用孔を有し金属材でできた封口板により封口された本体内に電解液を有するコンデンサーやリチウム電池などの密閉型電気化学デバイスで、電解液が本体外に漏れ出ないようにするとともに本体内に発生したガスをガス排出用孔から本体外に排出する機能をもたせるように形成された安全弁において、弁膜支持具や固定部材などの取り付け部材を必要とせず、損傷させずに封口板に形成する安全弁を提供することを目的とする。
【課題を解決するための手段】
【００１０】  本発明の密閉型電気化学デバイス用安全弁は、ガス排出用孔を有し金属材でできた封口板により封口された本体内に電解液を有するコンデンサーやリチウム電池などの密閉型電気化学デバイス用安全弁において、前記安全弁が薄肉の弁膜部と前記弁膜部にて閉塞された中空筒部とからなり、前記封口板とガス透過性のあるポリオレフィン系樹脂を主成分とする成形材とを一体に成形することにより、前記ガス排出用孔の周壁に前記中空筒部を密着接合させて、前記ガス排出用孔を閉塞して電解液が漏れ出るのを防止するとともにガスのみを透過させる機能をもたせるようにしたことを特徴とする。同請求項２に記載の発明は、請求項１に記載の密閉型電気化学デバイス用安全弁で、前記封口板には電極端子挿入用孔がガス排出用孔と並設されており、前記電極端子挿入用孔に電極端子を配置して、封口板と前記ガス透過性のあるポリオレフィン系樹脂を主成分とする成形材とを一体に成形することにより、前記ガス透過性のあるポリオレフィン系樹脂を主成分とする成形材でできたガスケットにて電気的に絶縁された電極端子と前記安全弁とを封口板に並設させたことを特徴とする。同請求項３に記載の発明は、請求項１または２に記載の密閉型電気化学デバイス用安全弁で、前記ガス透過性のあるポリオレフィン系樹脂を主成分とする成形材は、ポリオレフィン系樹脂主成分にエラストマーを配合させたことを特徴とする。また、同請求項４に記載の発明は、請求項１に記載の密閉型電気化学デバイス用安全弁で、前記ガス透過性のあるポリオレフィン系樹脂を主成分とする成形材は、ポリオレフィン系樹脂主成分に金属粉末を配合させてなることを特徴とする。また、同請求項５に記載の発明は、請求項４に記載の密閉型電気化学デバイス用安全弁で、前記金属粉末はアルミニウム粉末またはアルミニウム合金粉末であることを特徴とする。
【発明の効果】
【００１１】  本発明の密閉型電気化学デバイス用安全弁は、薄肉の弁膜部と前記弁膜部にて閉塞された中空筒部とからなり、金属材でできた封口板とガス透過性のあるポリオレフィン系樹脂を主成分とする成形材とを一体に成形するので、弁膜支持具や固定部材などの取り付け部材を必要とせず、損傷させずに、封口板に形成されたガス排出用孔をガスのみを透過させ閉塞するようにすることができ、しかも、前記ガス排出用孔の周壁に前記中空筒部を密着接合させてその接合部を多くして密着接合より確実になって電解液が漏れ出るのを防止するとともに、中空筒部と薄肉部からガスのみが透過してガスの発生の都度、ガスを排出することができる。また、前記弁膜部が薄肉であっても外部からの機械的な衝撃を受けてもクラックを生じないように柔軟性をもたせることができ、さらにこのポリオレフィン系樹脂主成分にエラストマーを配合させることにより、封口板の金属材とガス透過性のあるポリオレフィン系樹脂を主成分とする成形材との成形時の密着接合が向上させることができる。また、前記封口板には電極端子挿入用孔がガス排出用孔と並設されており、前記電極端子挿入用孔に電極端子を配置して、封口板と前記ガス透過性のあるポリオレフィン系樹脂を主成分とする成形材とを一体に成形することにより、ガス排出用孔をガス透過性のある薄肉の弁膜部を有する中筒部で閉塞するとともに電極端子がガス透過性のあるポリオレフィン系樹脂を主成分とする成形材でできたガスケットにて電気的に絶縁されて封口板に設けられるので、ガス排出用孔の部位にみでなく電極端子挿入用孔の部位においてもガスのみを透過させるので、ガスが排出しやすくなる。また、前記ガス透過性のあるポリオレフィン系樹脂を主成分とする成形材は、ポリオレフィン系樹脂主成分に金属粉末、好ましくはアルミニウム粉末またはアルミニウム合金粉末を配合させて弁膜部の柔軟性を低くすることにより、ガス発生量に比しガス透過性が少なくてもガス弁膜部を一気に破断させて密閉型電気化学デバイスの本体内の密閉を一気に開放させて一気にガスを排出して、その本体の破裂をより一層防止させることができるなどの効果がある。
【図面の簡単な説明】
【００１２】
【図１】本発明の実施形態１で電極端子と並設した安全弁を示す断面図である。
【図２】本発明の実施形態１で電極端子と並設した安全弁を示す平面図である。
【図３】本発明の実施形態１に用いる封口板を示す断面図である。
【図４】本発明の実施形態１に用いる封口板を示す平面図である。
【図５】本発明の実施形態１で電極端子と並設した安全弁を有する密閉型電気化学デバイス用安全弁を示す断面図である。
【図６】本発明の実施形態２で電極端子と並設した安全弁を示す断面図である。
【図７】本発明の実施形態２で電極端子と並設した安全弁を示す平面図である。
【図８】本発明の実施形態２に用いる封口板を示す断面図である。
【発明を実施するための形態】
【００１３】  以下、本発明の実施形態について図面を参照して説明する。
【００１４】（実施形態１）
図１から図５を参照して、ガス排出用孔１１を有する金属材でできた封口板１とガス透過性のあるポリオレフィン系樹脂を主成分とする成形材とを一体に成形してできた安全弁２を説明する。
【００１５】  封口板１はアルミニウム（その合金を含む）やステンレスなどの金属材でできており、その形状は矩形状で、開口端のある直方体状の箱型ケース１００（図５参照）を閉蓋するが、この封口板１の形状は、円板（楕円を含む）状で、開口端のある円筒状の箱型ケースを閉蓋する形状でもよい。この封口板１には、ガス抜き用孔１１と電極端子挿入用孔１２とが並設するように形成されており、電極端子挿入用孔１２は中央位置に形成されているが、ガス抜き用孔１１が中央位置に形成されていてもよい。
【００１６】  封口板１のガス抜き用孔１１については、その周壁には、封口板１の上面および下面に延出する中空筒部２１が密着接合されており、その中空筒部２１は上側空間部２３と下側空間部２４とが形成されるように薄肉の弁膜部２２にて閉塞されているので、ガス排出用孔１１の周壁に中空筒部２１を密着接合させてその接合部を多くして密着接合がより確実になり電解液が漏れ出るのを防止することができる。この中空筒部２１および弁膜部２２の素材は、電解液や水蒸気などの液体を透過させにくいが、水素ガスや炭酸ガスなどのガスのみを透過させやすい材料でしかも金属材と一体に成形できる成形材とする必要があり、そのために、中空筒部２１および弁膜部２２は、疎水性高分子でガス透過性のあるポリオレフィン系樹脂を主成分とする成形材でできている。このガス透過性のあるオレフィン系樹脂としては、ポリプロピレン樹脂、ポリエチレン樹脂、ポリスチレン樹脂などが例示でき、水蒸気を透過させにくく水素ガスや炭酸ガスなどのガスのみを透過させやすい成形材が提供できる。
【００１７】  このポリオレフィン系樹脂にエラストマーを５から１５重量％配合させることにより、金属材でできた封口板１とガス透過性のあるポリオレフィン系樹脂を主成分とする成形材とを一体に成形してガス透過性をもたせて金属材と成形材との成形時の密着接合を向上させることができるとともに、弁膜部２２が外部からの機械的な衝撃を受けてもクラックを生じないように柔軟性をさらに向上させることができる。このエラストマーとしては、エチレンープロピレンゴム、スチレンーブタジェンゴムなどが例示できる。
【００１８】  また、弁膜部２２の厚さは０．０５〜０．２ｍｍ好ましくはさらに薄肉であり、その厚さはガス透過率の大きさや弁膜部２２が破断する圧力により設定すればよい。
【００１９】  一方、ガス発生量に比しガス透過性が少なくても、弁膜部２２を破断させて密閉型電気化学デバイスの本体内の密閉を開放させて一気にガスを排出すると、その本体の破裂をより一層防止させることができるので、弁膜部２２の素材としてポリオレフィン系樹脂主成分に金属粉末を配合させて弁膜部２２の柔軟性を低くして、弁膜部２２を一気に破断させる。この金属粉末として、好ましくはアルミニウム粉末またはアルミニウム合金粉末を５から１５重量％配合させることにより、鱗片状の補強フィラーとなり弁膜部２２の柔軟性を低くしてもよい。
【００２０】  また、電極端子挿入用孔１２については、その周壁には、封口板１の上面および下面に延出するガスケット３２が密着接合されるとともに、そのガスケット３２の周壁には銅（その合金を含む）やアルミニウム（その合金を含む）などでできた電極端子３１が密着接合されている。このガスケット３２はガス透過性のあるポリオレフィン系樹脂を主成分とする成形材でできており、金属材でできた封口板１と電極端子３１とを電気的に絶縁させ、電極端子３１はそのガスケット３２を介してかしめまたは成形にて封口板１に密着接合するように固着されている。この実施形態においては、封口板１と電極端子３１とをガスケット３２を介して一体に成形することにより、電極端子３１はガスケット３２にて電気的に絶縁されて封口板１に密着接合するように固着されており、その際に使用するガスケット３２はガス透過性のあるポリオレフィン系樹脂を主成分とする成形材を用いる。金属材でできた封口板１とガス透過性のあるポリオレフィン系樹脂を主成分とする成形材とを一体に成形して、薄肉の弁膜部２２で閉塞された中空筒部２１を封口板１のガス排出用孔１１の周壁に密着接合させてガス排出用孔１１を閉塞させる際に、電極端子挿入用孔１２に電極端子３１を配置して封口板１とガス透過性のあるポリオレフィン系樹脂を主成分とする成形材とを一体に成形することにより電極端子部３を形成し、ガス透過性のあるポリオレフィン系樹脂を主成分とする成形材できたガスケットにて電気的に絶縁された電極端子３１と安全弁２とを封口板１に並設させて、ガス排出用孔１１の部位と電極端子挿入用孔１２の部位とにおいて水素ガスや炭酸ガスなどのガスのみを透過させるので、ガスが排出しやすくなる。
【００２１】  次に、図５は、ガス透過性のあるポリオレフィン系樹脂を主成分とする成形材でできたガスケット３２にて電気的に絶縁された電極端子３１と安全弁２とを封口板１に並設した密閉型電気化学デバイスを示し、密閉型電気化学デバイスとしては、非水素電解液の密閉型電気化学デバイスが好ましい。この密閉型電気化学デバイスは電解液８を有するコンデンサーやリチウム電池などで、円板（楕円を含む）状や矩形状の封口板１が開口端のある円筒状または直方体状の箱型ケース１００を閉蓋するように接合手段９で密閉型電気化学デバイスの本体を構成する。この金属材でできた封口板１で封口された本体内にはリード７、７１、正負極素子部６、電解液８および正負極素子部６が気密状態に設けられている。この封口板１には正極端子と負極端子の何れか一方の端子例えば正極端子を設けた場合を示すが、正極端子と負極端子の両方の端子を設けてあってもよい。封口板１の金属材としてはアルミニウム（その合金を含む）やステンレスなどが例示できる。また、箱型ケース１００の素材も封口板１と同様なアルミニウム（その合金を含む）やステンレスなどの金属材であるので、封口板１と箱型ケース１００とをレーザなどの接合手段９にて接合して密閉された本体が形成されて、封口板１と正負極素子部６とはリード７１を介して電気接続されている。また、この封口板１には、正極端子である端子部３が設けられており、端子部３は銅（その合金を含む）やアルミニウム（その合金を含む）などでできた電極端子３１を有し、この電極端子３１と正負極素子部６とはリード７を介して正負極素子部６と電気接続されている。封口板１は金属材でできているので、電極端子３１はガス透過性のあるポリオレフィン系樹脂を主成分とする成形材でできたガスケット３２で電気的に絶縁されている。なお、ガス透過性のあるポリオレフィン系樹脂を主成分とする成形材でできたガスケット３２を封口板１に一体に成形させておいて、電極端子３１をガスケット３２に挿入してかしめて封口板１に密着接合するように固着されてもよい。また、このガスケット３２は安全弁２と同じ成形材であるが、封口板１と電極端子３１とは電気的に絶縁させる必要があるので、このポリオレフィン系樹脂に金属粉末を配合させずに、エチレンープロピレンゴム、スチレンーブタジェンゴムなどのエラストマーを５から１５重量％配合させてもよい。
【００２２】（実施形態２）
図６から図８を参照して、金属材でできた封口板により封口された本体内に電解液を有するコンデンサーやリチウム電池などの密閉型電気化学デバイスで電解液が本体外に漏れ出ないようにするとともにその本体内に発生したガスのみを透過させて本体外に排出する機能をもたせた安全弁の異なる実施形態を説明する。
【００２３】  図８は、金属材でできた封口板４を示し、この封口板４は、実施形態１と同様にアルミニウム（その合金を含む）やステンレスなどの金属材でできており、その形状は矩形状を図示するが、円板（楕円を含む）状で、ガス抜き用孔４１と電極端子挿入用孔４２とが並設されるように形成されているが、ガス抜き用孔４１の周壁には上方に径大部４１Ａが形成されている。なお、電極端子挿入用孔４２は、実施形態１と同様に中央位置に形成されているが、ガス抜き用孔４１が中央位置に形成されていてもよい。
【００２４】  図６および図７は、このガス排出用孔４１を有する金属材でできた封口板４と、ガス透過性のあるポリオレフィン系樹脂を主成分とする成形材とを、一体に成形してできた安全弁５を示す。この安全弁５において、ガス抜き用孔４１の周壁に封口板４の上面および下面に延出する中空筒部５１が密着接合されており、その中空筒部５１は上側空間部５３と下側空間部５４とが形成されるように薄肉の弁膜部５２にて閉塞されているので、封口板４とガス透過性のあるポリオレフィン系樹脂を主成分とする成形材との接合部位が多くなり、密着接合がより確実になる。弁膜部５２は中空筒部５１の内周壁から延びる環状の薄肉部５５と連結して下面に下側空間部５４が形成されるように上方に突出している。この薄肉部５５は安全弁５における他の部位に比し、応力を受けたとき破断しやすい形状となっているので、ガス発生量に比しガス透過性が少なくても、この破断により弁膜部５２が一気に開放されて、密閉型電気化学デバイスの本体の破裂をより一層防止させることができる。この中空筒部５１および弁膜部５２は、ガス透過性のあるポリオレフィン系樹脂を主成分とする成形材でできており、封口板４とガス透過性のあるポリオレフィン系樹脂を主成分とする成形材とを一体に成形することにより、中空筒部５１および弁膜部５２からなる安全弁５が封口板４に設けられる。このガス透過性のあるポリオレフィン系樹脂を主成分とする成形材としては、実施形態１と同様に、水蒸気を透過させにくく水素ガスや炭酸ガスなどのガスのみを透過させやすい成形材が提供できるようにポリプロピレン樹脂、ポリエチレン樹脂、ポリスチレン樹脂などである。このポリオレフィン系樹脂にエチレンープロピレンゴム、スチレンーブタジェンゴムなどのエラストマーを５から１５重量％配合させることが好ましい。また、弁膜部５２の厚さは０．０５〜０．２ｍｍ好ましくはさらに薄肉であるが、その厚さはガス透過率の大きさや弁膜部５２が破断する圧力により設定すればよい。
【００２５】  また、電極端子挿入用孔４２については、その周壁には、封口板４の上面および下面に延出するガスケット３２が密着接合されており、そのガスケット３２の周壁には実施形態１と同様に銅（その合金を含む）やアルミニウム（その合金を含む）などでできた電極端子３１が実施形態１と同様に、このガスケット３２は安全弁５と同じ成形材で、電極端子挿入用孔４２に電極端子３１を配置して封口板４とガス透過性のあるポリオレフィン系樹脂を主成分とする成形材とを一体に成形することにより、ガス透過性のあるポリオレフィン系樹脂を主成分とする成形材でできたガスケット３２にて電気的に絶縁された電極端子３１と安全弁５とを封口板４に並設させて、ガス排出用孔４１の部位と電極端子挿入用孔４２の部位とにおいてガスにみを透過させるので、ガス透過性が向上する。なお、ガス透過性のあるポリオレフィン系樹脂としては、安全弁５と同じ成形材で、ポリプロピレン樹脂、ポリエチレン樹脂、ポリスチレン樹脂などが例示でき、金属粉末を配合させすに、エチレンープロピレンゴム、スチレンーブタジェンゴムなどのエラストマーを５から１５重量％配合させてもよい。
【００２６】  このように電極端子３１のガスケット３２および安全弁５がガス透過性のあるポリオレフィン系樹脂を主成分とする成形材で構成して、電極端子３１と安全弁５とを封口板４に並設して、図５に示すように密閉型電気化学デバイスとして用いる。
【産業上の利用可能性】
【００２７】  本発明の封口板は、ガス排出用孔を有し金属材でできており、その封口板により封口された本体内に電解液を有するコンデンサーやリチウム電池などの密閉型電気化学デバイス、特に非水素電解液の密閉型電気化学デバイスにおいて、その本体内で発生する水素ガスにより本体が膨れるのを抑制し充放電サイクル特性を向上させる安全弁として有用である。
【符号の説明】
【００２８】  １、４  封口板
１１、４１  ガス抜き用孔
２、５  安全弁
２１、５１  中空筒部
２２、５２  弁膜部
３  電極端子部
３１  電極端子
３２  中空筒部
【図１】
2014082432.tif 000003
【図２】
2014082432.tif 000004
【図３】
2014082432.tif 000005
【図４】
2014082432.tif 000006
【図５】
2014082432.tif 000007
【図６】
2014082432.tif 000008
【図７】
2014082432.tif 000009
【図８】
2014082432.tif 000010